(57)【要約】【課題】被水環境で使用されるモータの防水構造において、互いに組み付けられる複数個の部品に寸法誤差があっても、コネクタ嵌合部のシール性を確保する。【解決手段】モータヨーク２とエンドハウジング３とがコネクタ嵌合部５を形成する形で組み付けられており、コネクタ嵌合部５には、外部接続用コネクタ７と嵌合しうるモータ側コネクタ６が装着されている。外部接続用コネクタ７のパッキン装着部９には、モータヨーク２またはエンドハウジング３とモータ側コネクタ６との継ぎ目１４、１５に当接するリップ部１３を備えた防水パッキン１０が装着されている。これにより、コネクタ嵌合部５で互いに組み付けられる複数個の部品（モータヨーク２、エンドハウジング３、モータ側コネクタ６）間の継ぎ目１４、１５には、防水パッキン１０のリップ部１３が当接する。【選択図】図４
2005333748.tif 000002
【特許請求の範囲】
【請求項１】
モータヨークとエンドハウジングとがコネクタ嵌合部を形成する形で組み付けられ、このコネクタ嵌合部に、外部接続用コネクタと嵌合しうるモータ側コネクタが装着されているモータの防水構造であって、
前記外部接続用コネクタは、端子収納部およびパッキン装着部を有し、
前記外部接続用コネクタの端子収納部には、接続端子が収納され、
前記外部接続用コネクタのパッキン装着部には、前記モータヨークまたは前記エンドハウジングと前記モータ側コネクタとの継ぎ目に当接するリップ部を備えた防水パッキンが装着されていることを特徴とする、モータの防水構造。
【請求項２】
前記防水パッキンのリップ部は、当該防水パッキンの押し当て面のコネクタ嵌合方向先端部に形成されていることを特徴とする、請求項１に記載のモータの防水構造。
【請求項３】
前記防水パッキンのリップ部は、弾性を具備していることを特徴とする、請求項１又は２に記載のモータの防水構造。
【請求項４】
前記防水パッキンは、前記外部接続用コネクタのパッキン装着部の内周面と前記モータ側コネクタの外周面との間に介在していることを特徴とする、請求項１乃至３のいずれかに記載のモータの防水構造。
【請求項５】
前記外部接続用コネクタのパッキン装着部は、前記端子収納部のコネクタ嵌合方向後方に位置していることを特徴とする、請求項１乃至４のいずれかに記載のモータの防水構造。
【請求項６】
前記防水パッキンのリップ部は、当該防水パッキンのコネクタ嵌合方向先端部に位置していることを特徴とする、請求項１乃至５のいずれかに記載のモータの防水構造。
【発明の詳細な説明】
【技術分野】
【０００１】
本発明は、例えば自動車のラジエータを冷却するためのファンモータのように、被水環境で使用されるモータに適用するに好適な、モータの防水構造に関するものである。
【背景技術】
【０００２】
従来、この種のモータとしては、モータヨークとエンドハウジングとがコネクタ嵌合部を形成する形で組み付けられ、このコネクタ嵌合部に、外部接続用コネクタと嵌合しうるモータ側コネクタが装着されているものがある（例えば、特許文献１参照）。このモータでは、雨水などの水分が内部に入り込まないように、コネクタ嵌合部と外部接続用コネクタとの隙間にグロメットを介在させることにより、コネクタ嵌合部のシール性を高めている。
【特許文献１】特開２００３−９４５９号公報
【発明の開示】
【発明が解決しようとする課題】
【０００３】
しかし、これでは次のような不都合があった。
【０００４】
すなわち、モータのコネクタ嵌合部では複数個の部品（モータヨーク、エンドハウジング、ブラシホルダなど）が重なり合って組み付けられているため、これらの部品に寸法誤差がある場合は、部品間に継ぎ目が生じ、この継ぎ目から水分が浸入する恐れがある。したがって、コネクタ嵌合部のシール性を必ずしも確保することができない。
【０００５】
本発明は、このような事情に鑑み、互いに組み付けられる複数個の部品に寸法誤差があってもコネクタ嵌合部のシール性を確保することが可能な、モータの防水構造を提供することを目的とする。
【課題を解決するための手段】
【０００６】
まず、請求項１に係る発明は、モータヨークとエンドハウジングとがコネクタ嵌合部を形成する形で組み付けられ、このコネクタ嵌合部に、外部接続用コネクタと嵌合しうるモータ側コネクタが装着されているモータの防水構造であって、前記外部接続用コネクタは、端子収納部およびパッキン装着部を有し、前記外部接続用コネクタの端子収納部には、接続端子が収納され、前記外部接続用コネクタのパッキン装着部には、前記モータヨークまたは前記エンドハウジングと前記モータ側コネクタとの継ぎ目に当接するリップ部を備えた防水パッキンが装着されていることを特徴とする。
また、請求項２に係る発明は、前記防水パッキンのリップ部は、当該防水パッキンの押し当て面のコネクタ嵌合方向先端部に形成されていることを特徴とする。
また、請求項３に係る発明は、前記防水パッキンのリップ部は、弾性を具備していることを特徴とする。
また、請求項４に係る発明は、前記防水パッキンは、前記外部接続用コネクタのパッキン装着部の内周面と前記モータ側コネクタの外周面との間に介在していることを特徴とする。
また、請求項５に係る発明は、前記外部接続用コネクタのパッキン装着部は、前記端子収納部のコネクタ嵌合方向後方に位置していることを特徴とする。
また、請求項６に係る発明は、前記防水パッキンのリップ部は、当該防水パッキンのコネクタ嵌合方向先端部に位置していることを特徴とする。
【発明の効果】
【０００７】
本発明によれば、コネクタ嵌合部で互いに組み付けられる複数個の部品（つまり、モータヨーク、エンドハウジング、モータ側コネクタ）間の継ぎ目には、防水パッキンのリップ部が当接するため、これらの部品に寸法誤差があっても、コネクタ嵌合部のシール性を確保することができる。
【０００８】
さらに、防水パッキンのリップ部が弾性を具備していると、コネクタ嵌合部で互いに組み付けられる各部品（つまり、モータヨーク、エンドハウジング、モータ側コネクタ）の形状に合わせてリップ部が潰れる形で弾性変形するため、コネクタ嵌合部のシール性を一層高めることができる。
【０００９】
また、防水パッキンが外部接続用コネクタのパッキン装着部の内周面とモータ側コネクタの外周面との間に介在していると、外部接続用コネクタとモータ側コネクタとの隙間から雨水などの水分が入り込む事態を防ぐことができる。
【発明を実施するための最良の形態】
【００１０】
以下、本発明の実施形態を図面に基づいて説明する。
【００１１】
モータ１は、図１および図２に示すように、有底円筒状に形成された金属製のモータヨーク２を有しており、モータヨーク２の開口部には、円盤状に形成された金属製のエンドハウジング３が嵌合する形で組み付けられている。ここで、モータヨーク２とエンドハウジング３との接合部は円周状となっているが、その一部には湾曲矩形状のコネクタ嵌合部５が形成されているとともに、残部ではモータヨーク２とエンドハウジング３とが隙間なく密着した状態となっている。そして、コネクタ嵌合部５にはモータ側コネクタ６が装着されており、モータ側コネクタ６内には雄形の接続端子（図示せず）が収納されている。その結果、コネクタ嵌合部５においては、エンドハウジング３、モータ側コネクタ６およびモータヨーク２が下から順に重なり合って組み付けられた状態となっている。
【００１２】
他方、このモータ側コネクタ６と嵌合する外部接続用コネクタ７は、図３に示すように、硬質樹脂製の端子収納部８を有しており、端子収納部８内には雌形の接続端子（図示せず）が収納されている。また、端子収納部８のコネクタ嵌合方向後方（矢印Ｂ方向）には、コネクタ嵌合部５の形状に合致する湾曲枠形状に形成された硬質樹脂製のパッキン装着部９が一体に周設されており、パッキン装着部９には、コネクタ嵌合部５の形状に合致する湾曲枠形状に形成された合成ゴム製の防水パッキン１０が装着されている。この防水パッキン１０は枠体１１を有しており、枠体１１のコネクタ嵌合方向前部（矢印Ａ方向）には、その全周にわたって押し当て面１２が形成されている。押し当て面１２のコネクタ嵌合方向先端部（矢印Ａ方向）には、その全周にわたって半円断面状のリップ部１３が形成されている。
【００１３】
したがって、図４に示すように、モータ１のモータ側コネクタ６に外部接続用コネクタ７を嵌合させると、防水パッキン１０は、外部接続用コネクタ７のパッキン装着部９の内周面とモータ側コネクタ６の外周面との間に介在するので、外部接続用コネクタ７とモータ側コネクタ６との隙間から雨水などの水分が入り込む事態を防ぐことができる。
【００１４】
また、防水パッキン１０のリップ部１３は、図４に示すように、エンドハウジング３とモータ側コネクタ６との継ぎ目１４に当接する。そのため、これらエンドハウジング３、モータ側コネクタ６に寸法誤差があったとしても、コネクタ嵌合部５のシール性を確保することができる。しかも、このリップ部１３は、合成ゴム製であって弾性を具備しており、エンドハウジング３、モータ側コネクタ６の形状に合わせて潰れる形で弾性変形するので、コネクタ嵌合部５のシール性を一層高めることが可能となる。
【００１５】
さらに、防水パッキン１０のリップ部１３は、図４に示すように、モータヨーク２とモータ側コネクタ６との継ぎ目１５に当接する。そのため、これらモータヨーク２、モータ側コネクタ６に寸法誤差があったとしても、コネクタ嵌合部５のシール性を確保することができる。しかも、このリップ部１３は、合成ゴム製であって弾性を具備しており、モータヨーク２、モータ側コネクタ６の形状に合わせて潰れる形で弾性変形するので、コネクタ嵌合部５のシール性を一層高めることが可能となる。
【００１６】
なお、上述の実施形態においては、図１に示すように、有底円筒状に形成された金属製のモータヨーク２に、円盤状に形成された金属製のエンドハウジング３を組み付けた場合について説明したが、モータヨーク２、エンドハウジング３の形状や材質については、これらに限定されるわけではない。
【００１７】
また、上述の実施形態においては、防水パッキン１０が合成ゴム製である場合について説明したが、合成ゴム以外の材質（例えば、ウレタン樹脂、シリコーン樹脂など）を代用することも可能である。
【図面の簡単な説明】
【００１８】
【図１】本発明に係るモータの防水構造の一実施形態を示す斜視図である。
【図２】図１に示すモータのコネクタ嵌合部の分解斜視図である。
【図３】外部接続用コネクタの一例を示す斜視図である。
【図４】モータ側コネクタと外部接続用コネクタとの嵌合状態を示す断面図である。
【符号の説明】
【００１９】
１……モータ
２……モータヨーク
３……エンドハウジング
５……コネクタ嵌合部
６……モータ側コネクタ
７……外部接続用コネクタ
８……端子収納部
９……パッキン装着部
１０……防水パッキン
１１……枠体
１２……押し当て面
１３……リップ部
１４、１５……継ぎ目
【図１】
2005333748.tif 000003
【図２】
2005333748.tif 000004
【図３】
2005333748.tif 000005
【図４】
2005333748.tif 000006